(57)【要約】【課題】迅速かつ容易に消防用ホースの内周面側からパッチを貼り付けた消防用ホースの損傷穴修復作業を行うことができる工具及びその方法を提供すること。【解決手段】本発明では、消防用ホースの内周面にパッチを熱溶着することによって消防用ホースにできた損傷穴を塞ぐ消防用ホースの修復作業に用いられる損傷穴修復工具であって、消防用ホースの内部に挿入可能に形成した胴体の先端部に、パッチの左右端縁を着脱自在に保持する左右一対のパッチ保持片を形成したことを特徴とする消防用ホースの損傷穴修復工具。消防用ホースの内部に挿入可能に形成した胴体の先端部に、消防用ホースの内周面に熱溶着されることで消防用ホースにできた損傷穴を塞ぐためのパッチの左右端縁を着脱自在に保持する左右一対のパッチ保持片を形成することとした。【選択図】　　　図３
2004092807.tif 000002
【特許請求の範囲】
【請求項１】
ホースの内周面にパッチを熱溶着することによってホースにできた損傷穴を塞ぐホースの修復作業に用いる損傷穴修復工具であって、
ホースの内部へ挿入可能に形成した胴体の先端部に、パッチを着脱自在に保持するパッチ保持部を形成したことを特徴とするホースの損傷穴修復工具。
【請求項２】
前記胴体に、パッチを挟持するパッチ挟持部を形成したことを特徴とする請求項１記載のホースの損傷穴修復工具。
【請求項３】
前記胴体に、ホースの内周部を清掃するためのホース内清掃体を連設したことを特徴とする請求項１又は請求項２記載のホースの損傷穴修復工具。
【請求項４】
ホースの内周面にパッチを熱溶着することによってホースにできた損傷穴を塞ぐホースの損傷穴修復方法であって、
ホースにできた損傷穴よりも先端側位置でホースを挟持し、パッチを保持した損傷穴修復工具をホースの基端側から損傷穴近傍の挟持位置まで落下させ、損傷穴近傍でホースとパッチとをともに挟持し、その後、ホースを上下反転させることによって損傷穴修復工具のみをホースの内部から取外し、さらに、ホースの外部から加熱圧縮することによってホースの内周面にパッチを熱溶着することを特徴とするホースの損傷穴修復方法。
【請求項５】
前記パッチの熱溶着時にホースの内周面同士が接着されるのを防止するセパレータをパッチの裏面に貼着しておき、パッチの熱溶着後にホースに通水してパッチからセパレータを除去することを特徴とする請求項４記載のホースの損傷穴修復方法。
【発明の詳細な説明】
【０００１】
【発明の属する技術分野】
本発明は、ホースの損傷穴修復工具及び損傷穴修復方法に関するものである。
【０００２】
【従来の技術】
例えば、消防用に使用されるホースは、厳しい環境下で使用されることが多いため、ホースの表面が損傷し、ホースに穴が開くことがあった。かかる損傷穴から消火水が漏出してしまうと、充分な水量が得られずに消火作業に支障をきたすおそれがあるとともに、消火現場周辺が浸水してしまうおそれもあることから、ホースの損傷穴を塞ぐといったホースの修復作業が必要であった。
【０００３】
かかる損傷穴の修復作業としては、従来、ホースの外周面側から損傷穴に継ぎ布を被せ、継ぎ布の周縁を樹脂製等の接着剤で接着する方法が一般的に行われてきた。
【０００４】
【発明が解決しようとする課題】
ところが、上記従来の継ぎ布を用いた損傷穴の修復では、ホースの外周面側から損傷穴に継ぎ布を被せていたため、ホースに通水するとホース内周の損傷穴に水圧が直接的にかかり、ホースの外周面から継ぎ布が剥がれてしまい、損傷穴から再び漏水するおそれがあった。
【０００５】
また、継ぎ布の周縁に塗布した接着剤が硬化することによってホースの外周面に継ぎ布が接着することから、ホース自体の素材や継ぎ布と硬化した接着剤との間で伸縮具合が異なっており、ホースの内部に圧力がかかることでホースが伸縮すると、接着剤にひび割れが生じたり、更にはホースの外周面から継ぎ布が剥がれてしまうおそれがあった。
【０００６】
また、上記従来の継ぎ布やパッチを用いた損傷穴の修復作業にあっては、ホースの外周面側から損傷穴を塞ぐだけであったため、ホースの外周面に継ぎ布が露出しており、継ぎ布が障害物に引っかかってホースの外周面から継ぎ布やパッチが剥がれてしまうおそれがあった。
【０００７】
かかる課題を解決するためには、ホースの内周面側からパッチを貼り付けることによって、パッチをホースの外周面から露出させないようにすればよいのだが、ホースの端部から軽量なパッチを挿入して損傷穴の裏側にまで持っていく作業は容易な作業ではなく、多大な労力と時間を要するおそれがあった。
【０００８】
そこで、本発明では、ホースの端部からパッチを挿入して損傷穴の裏側にまで持っていく作業を容易ならしめるための工具と作業方法を提供するものである。
【０００９】
【課題を解決するための手段】
すなわち、請求項１に係る本発明では、ホースの内周面にパッチを熱溶着することによってホースにできた損傷穴を塞ぐホースの修復作業に用いる損傷穴修復工具であって、ホースの内部へ挿入可能に形成した胴体の先端部に、パッチを着脱自在に保持するパッチ保持部を形成することにした。
【００１０】
また、請求項２に係る本発明では、前記胴体に、パッチを挟持するパッチ挟持部を形成することにした。
【００１１】
また、請求項３に係る本発明では、前記胴体に、ホースの内周部を清掃するためのホース内清掃体を連設することにした。
【００１２】
また、請求項４に係る本発明では、ホースの内周面にパッチを熱溶着することによってホースにできた損傷穴を塞ぐホースの損傷穴修復方法であって、ホースにできた損傷穴よりも先端側位置でホースを挟持し、パッチを保持した損傷穴修復工具をホースの基端側から損傷穴近傍の挟持位置まで落下させ、損傷穴近傍でホースとパッチとをともに挟持し、その後、ホースを上下反転させることによって損傷穴修復工具のみをホースの内部から取外し、さらに、ホースの外部から加熱圧縮することによってホースの内周面にパッチを熱溶着することにした。
【００１３】
また、請求項５に係る本発明では、前記パッチの熱溶着時にホースの内周面同士が接着されるのを防止するセパレータをパッチの裏面に貼着しておき、パッチの熱溶着後にホースに通水してパッチからセパレータを除去することにした。
【００１４】
【発明の実施の形態】
本発明に係るホースの損傷穴修復工具は、ホースの内部に挿入可能に形成した胴体の先端部に、ホースの内周面に熱溶着されることでホースにできた損傷穴を塞ぐためのパッチの左右側部を着脱自在に保持するパッチ保持部を形成したものである。
【００１５】
そして、次のようにして損傷穴を修復するものである。
（１）ホースにできた損傷穴の近傍であって損傷穴よりも先端側でホースをクリップで挟持する。
（２）損傷穴修復工具にパッチを装着した後、ホースの基端側から損傷穴の近傍の挟持位置まで損傷穴修復工具を自重で落下させていく。
（３）ホースの外周面から内部の損傷穴修復工具を保持しながら、前記クリップを取外し、その後、同クリップを用いて損傷穴の近傍でホースと内部のパッチとを挟持する。
（４）クリップでホースとパッチとを挟持した状態のままでホースを上下反転させる。すると、損傷穴修復工具は自重により落下していくが、パッチはクリップで挟持されているため損傷穴の近傍に保持される。
（５）クリップをホースから取外す。
（６）熱圧着工具を用いてホースの外部からホースとパッチとを同時に加熱圧縮して、ホースの内周面にパッチを熱溶着する。
【００１６】
このように、本発明に係る損傷穴修復工具は、ホースの内部へ挿入可能に形成した胴体の先端部に、パッチを着脱自在に保持するパッチ保持部を形成しているため、パッチを装着した損傷穴修復工具をホース内に挿入することで損傷穴の修復作業を行うことができ、修復作業の作業性を向上させることができる。
【００１７】
特に、胴体に、パッチを挟持するパッチ挟持部を形成した場合には、パッチを装着した損傷穴修復工具をホース内に挿入する際に、パッチが損傷穴修復工具から脱落するのを防止でき、これによっても、修復作業の作業性を向上させることができる。
【００１８】
また、前記胴体に、ホースの内周部を清掃するためのホース内清掃体を連設しているため、損傷穴の修復作業とともに、ホース内の清掃作業も同時に行うことができる。
【００１９】
また、本発明に係るホースの損傷穴修復方法は、ホースにできた損傷穴よりも先端側位置でホースを挟持し、パッチを保持した損傷穴修復工具をホースの基端側から損傷穴近傍の挟持位置まで落下させ、損傷穴近傍でホースとパッチとをともに挟持し、その後、ホースを上下反転させることによって損傷穴修復工具のみをホースの内部から取外し、さらに、ホースの外部から加熱圧縮することによってホースの内周面にパッチを熱溶着することにしているため、ホースの端部からパッチを挿入して損傷穴の裏側に位置させることが迅速かつ容易に行え、ホースの内周面側からパッチを貼り付けることができ、パッチをホースの外周面から露出させないで損傷穴の修復を行うことができる。
【００２０】
特に、パッチの熱溶着時にホースの内周面同士が接着されるのを防止するセパレータをパッチの裏面に貼着しておき、パッチの熱溶着後にホースに通水してパッチからセパレータを除去することにした場合には、パッチの熱溶着時にホースの内周面同士が接着されるのを未然に防止することができるとともに、不要となったセパレータを簡単に除去することができる。
【００２１】
また、セパレータとして水溶性のシートを用いた場合には、ホースに通水するだけでセパレータを廃棄することができる。
【００２２】
【実施例】
以下に、本発明の実施例について図面を参照しながら具体的に説明する。なお、以下の実施例では、ホースとして消防用のホースを用いた場合について説明しているが、本発明は消防用のホースに限られず、あらゆるホースに適用できるものである。
【００２３】
［第１実施例］
第１実施例に係るホースの損傷穴修復工具１は、図１及び図２に示すように、消防用ホース２の内部に挿入できる形態（すなわち、消防用ホース２やその先端に接続される継手の内径よりも小さい形状）に形成した前後に伸延する略長方体状の胴体３の先端部に、消防用ホース２の内周面に熱溶着されることで消防用ホース２にできた損傷穴４を塞ぐための矩形薄板状のパッチ５の左右端縁を着脱自在に保持する前後に伸延する左右一対のパッチ保持片６，６を形成したものである。
【００２４】
パッチ保持片６，６の内側部中央には前後に伸延する溝７，７を刻設しており、また、胴体３の先端部中央には左右に伸延する溝８を刻設し、これらの溝７，８によって平面視略コ字溝状のパッチ保持部９を形成している。
【００２５】
そして、胴体３（パッチ保持片６，６）の正面側からパッチ保持片６，６の溝７，７にパッチ５の左右端縁部を挿入していき、胴体３の溝８にパッチ５の後端縁部を挿入する。すると、パッチ５は、パッチ保持部９で左右端縁部及び後端縁部が着脱自在に保持される。
【００２６】
ここで、胴体３の先端に左右一対のパッチ保持片６，６を形成し、かかるパッチ保持片６，６によってパッチ５の左右端縁を保持しているため、パッチ５の上方や下方が開放された状態となっており、パッチ５の中央部を上下から摘みながらパッチ保持部９にパッチ５を挿入することができ、パッチ５の挿入作業を容易に行うことができる。尚、同様に、パッチ５の中央部を上下から摘みながらパッチ保持部９からパッチ５を取外すことも容易に行える。
【００２７】
胴体３は、下部を膨出させることによって重量を増大させている。また、胴体３の上部には、消防用ホース２の内周部を清掃するためのホース内清掃体１０を後方に向けて連設している。かかるホース内清掃体１０は、後端部にスポンジ１３や布を巻き付けて、同スポンジ１３等で消防用ホース２の内周部を清掃することができるようにしている。尚、ホース内清掃体１０は、損傷穴修復工具１の持ち運びを容易なものとするためのグリップとしても利用することができる。
【００２８】
次に、上述した損傷穴修復工具１を用いて消防用ホース２にできた損傷穴４を塞ぐ方法（損傷穴修復方法）について図３に基づいて説明する。
【００２９】
まず、図３（ａ）に示すように、消防用ホース２にできた損傷穴４の近傍であって損傷穴４よりも先端側で消防用ホース２をクリップ１１で挟持する。
【００３０】
次に、図３（ｂ）に示すように、損傷穴修復工具１のパッチ保持部９にパッチ５を挿入し、その後、図３（ｃ）に示すように、消防用ホース２の基端側から損傷穴４の近傍の挟持位置（クリップ１１で消防用ホース２を挟持した位置（図３（ａ）参照））まで損傷穴修復工具１を落下させていく（図３（ｄ）参照）。その際に、損傷穴修復工具１は、胴体３の下部を膨出させることによって重量を増大させているため、損傷穴修復工具１の自重によって容易に落下し、しかも、消防用ホース２にできた損傷穴４の近傍であって損傷穴４よりも先端側で消防用ホース２をクリップ１１で挟持しているため、自重により落下した損傷穴修復工具１がクリップ１１による挟持部で停止するので、損傷穴修復工具１を所望の位置（損傷穴４の近傍の挟持位置）まで迅速かつ容易に移動させることができる。
【００３１】
尚、クリップ１１を損傷穴４よりも損傷穴修復工具１の長さ分だけ先端側に取付けておくと、消防用ホース２の内部に損傷穴修復工具１を挿入した際に、損傷穴修復工具１のホース内清掃体１０に巻き付けたスポンジ１３で損傷穴４の内周部を清掃することができ、これにより、後述するパッチ５の溶着を容易なものとすることができる。
【００３２】
次に、消防用ホース２の外周面から内部の損傷穴修復工具１を保持しながら、前記クリップ１１を取外し、その後、同クリップ１１を用いて損傷穴４の近傍で消防用ホース２と内部のパッチ５とを挟持する（図３（ｅ）参照）。
【００３３】
次に、図３（ｆ）に示すように、クリップ１１で消防用ホース２とパッチ５とを挟持した状態のままで消防用ホース２を上下反転させる。すると、損傷穴修復工具１は自重により落下していくが、図４に示すように、パッチ５はクリップ１１で挟持されているため損傷穴４の近傍に保持される。
【００３４】
次に、図３（ｇ）に示すように、クリップ１１を消防用ホース２から取外す。このようにして、パッチ５を消防用ホース２の内部であって損傷穴４の裏側に位置させることが短時間でかつ容易に行うことができる。
【００３５】
次に、図３（ｈ）に示すように、熱圧着工具１２を用いて消防用ホース２の外部から消防用ホース２とパッチ５とを同時に加熱圧縮する。これにより、消防用ホース２の内周面にパッチ５を熱溶着することができる。
【００３６】
このように、損傷穴修復工具１を用いて消防用ホース２の損傷穴４を修復すれば、消防用ホース２の端部からパッチ５を挿入して損傷穴４の裏側に位置させることが迅速かつ容易に行え、消防用ホース２の内周面側からパッチ５を貼り付けることができ、パッチ５を消防用ホース２の外周面から露出させないで損傷穴４の修復を行うことができる。
【００３７】
そのため、修復に用いたパッチ５が障害物に引っかかって消防用ホース２から剥がれ落ちて再び消防用ホース２から消火水が漏出してしまうことがなくなり、安心して修復後の消防用ホース２を使用することができ、消防用ホース２の長寿命化を図ることができる。
【００３８】
また、伸縮性を有するゴム素材からなるパッチ５を消防用ホース２に熱溶着にて接着しているため、パッチ５自体や接着剤が伸縮性を有しており、消防用ホース２の内部に圧力がかかって消防用ホース２が伸縮しても、パッチ５や接着剤も同様に伸縮するので、接着剤にひび割れが生じて消防用ホース２から消化水が漏出してしまうのを未然に防止することができる。
【００３９】
［第２実施例］
第２実施例に係るホースの損傷穴修復工具２１は、図５〜図７に示すように、第１実施例に係る損傷穴修復工具１と同様に、消防用ホース２の内部に挿入できる形態に形成した前後に伸延する略長方体状の胴体２３の先端部に、消防用ホース２の内周面に熱溶着されることで消防用ホース２にできた損傷穴４を塞ぐための矩形薄板状のパッチ２５と同パッチ２５の裏面に貼着した水溶性素材からなる薄紙状のセパレータ２４の左右側部を着脱自在に保持する前後に伸延する左右一対のパッチ保持片２６，２６を形成したものである。
【００４０】
パッチ保持片２６，２６の中央部には前後に伸延する段付スリット２７，２７を形成しており、また、胴体３の先端部中央には左右に伸延する溝２８を形成し、これらの段付スリット２７と溝２８とによって平面視略コ字状のパッチ保持部２９を形成している。このように、本実施例では、パッチ保持片２６，２６に段付スリット２７，２７を形成しているため、図６に示すように、段付スリット２７の段部でパッチ２５の左右端縁を保持することができるとともに、段付スリット２７のスリット部でセパレータ２４の左右側部を保持することができ、これにより、パッチ保持２９部にパッチ２５が正規位置に良好に装着することができる。
【００４１】
また、胴体２３の内部には、パッチ２５の後端部を挟持するパッチ挟持部３１を形成している。かかるパッチ挟持部３１は、先端部を下方に折曲した挟持片３２を胴体２３の中央内部に取付けている。図中、３４は取付け用ビスである。
【００４２】
このように、損傷穴修復工具２１は、パッチ２５を挟持するためのパッチ挟持部３１を設けているため、消防用ホース２の内部に損傷穴修復工具２１を挿入する際に、消防用ホース２の内周部にセパレータ２４やパッチ２５の左右側部が衝突しても、セパレータ２４やパッチ２５がパッチ保持部２９から脱落するのを未然に防止することができる。
【００４３】
また、胴体２３は、下部を膨出させることによって重量を増大させ、上部に消防用ホース２の内周部を清掃するためのホース内清掃体３０を後方に向けて連設し、同ホース内清掃体３０の後端部にスポンジ３３や布を巻き付けて、同スポンジ３３等で消防用ホース２の内周部を清掃することができるようにしている。尚、ホース内清掃体３０は、損傷穴修復工具２１の持ち運びを容易なものとするためのグリップとしても利用することができる。
【００４４】
上記第２実施例に係る損傷穴修復工具２１も、前記第１実施例に係る損傷穴修復工具１と同様にして使用される。
【００４５】
そして、本実施例では、パッチ２５とともにセパレータ２４も消防用ホース２の内部に挿入され、その状態で熱溶着される。そのため、パッチ２５の熱溶着時にパッチ２５の裏面と消防用ホース２の内周面との間にセパレータ２４が介在することになり、溶融したパッチ２５が消防用ホース２の両側（パッチ２５の表面が貼着されるべき損傷穴４のある側とその反対側）に付着してしまうのを未然に防止することができ、修復作業の作業性を向上させることができる。
【００４６】
かかるセパレータ２４は、パッチ２５の熱溶着後に消防用ホース２に通水することによって、水圧で除去することができる。特に、セパレータ２４として水溶性のシートを用いた場合には、消防用ホース２に通水するだけで廃棄することができる。
【００４７】
［第３実施例］
第３実施例に係るホースの損傷穴修復工具４１は、図８及び図９に示すように、消防用ホース２の内部に挿入できる形態に形成した前後に伸延する略円筒状の胴体４３の先端部に、消防用ホース２の内周面に熱溶着されることで消防用ホース２にできた損傷穴４を塞ぐための矩形薄板状のパッチ２５と同パッチ２５の裏面に貼着した水溶性素材からなる薄紙状のセパレータ２４の左右側部を着脱自在に保持するパッチ保持部４９を形成したものである。
【００４８】
パッチ保持部４９は、胴体４３の先端に形成した円筒体４２に左右一対の前後に伸延するスリット４７，４７を形成して、同スリット４７，４７でセパレータ２４やパッチ２５の左右側部を挿入保持することができるようにしている。
【００４９】
また、胴体４３の内部には、パッチ２５の後端部を挟持するパッチ挟持部４４を形成して、パッチ２５の脱落を防止している。かかるパッチ挟持部４４は、前記第２実施例と同様に、先端部を下方に折曲した挟持片４５を胴体４３の中央内部に取付けている。
【００５０】
上記第３実施例に係る損傷穴修復工具４１も、前記第１実施例又は第２実施例に係る損傷穴修復工具１，２１と同様にして使用される。
【００５１】
［第４実施例］
第４実施例に係るホースの損傷穴修復工具５１は、図１０〜図１２に示すように、消防用ホース２の内部に挿入できる形態（すなわち、消防用ホース２やその先端に接続される継手の内径よりも小さい形状）に形成した前後に伸延する略長方体状の胴体５３の先端部に、消防用ホース２の内周面に熱溶着されることで消防用ホース２にできた損傷穴４を塞ぐための矩形薄板状のパッチ５５と同パッチ５５の裏面に貼着した水溶性素材からなる薄紙状のセパレータ５４の左右側部を着脱自在に保持する前後に伸延する左右一対のパッチ保持片５６，５６を形成したものである。
【００５２】
パッチ保持片５６，５６には、前後に伸延するスリット５７，５７を形成しており、また、胴体５３の先端部には、左右方向へ向けて伸延する溝５８を形成し、かかる溝５８とパッチ保持片５６，５６とによって平面視略コ字状のパッチ保持部５９を形成している。
【００５３】
また、溝５８には、パッチ５５の後端部を挟持するパッチ挟持部６１を形成しており、かかるパッチ挟持部６１は、図１２に示すように、上下幅を奥側に向けて２段階に狭めている。そして、前側の狭幅部５８ａでパッチ５５の後端部を挟持するとともに、後側の狭幅部５８ｂでセパレータ５４の狭端部を挟持するようにしている。
【００５４】
このように、本実施例では、パッチ５５及びセパレータ５４を挟持するためのパッチ挟持部６１を設けているため、消防用ホース２の内部に損傷穴修復工具５１を挿入する際に、消防用ホース２の内周部にセパレータ５４やパッチ５５の左右側部が衝突しても、セパレータ５４やパッチ５５がパッチ保持部５９から脱落するのを未然に防止することができる。
【００５５】
胴体５３は、下部を膨出させることによって重量を増大させている。また、胴体５３の上部には、消防用ホース２の内周部を清掃するためのホース内清掃体６０を後方に向けて連設している。かかるホース内清掃体６０は、後端部にスポンジや布を巻き付けて、同スポンジ等で消防用ホース２の内周部を清掃することができるようにしている。尚、ホース内清掃体６０は、損傷穴修復工具５１の持ち運びを容易なものとするためのグリップとしても利用することができる。
【００５６】
上記第４実施例に係る損傷穴修復工具５１も、前記第１実施例又は第２実施例に係る損傷穴修復工具１，２１と同様にして使用される。
【００５７】
【発明の効果】
本発明によれば、ホースの端部からパッチを挿入して損傷穴の裏側に位置させることが迅速かつ容易に行え、これにより、ホースの内周面側からパッチを貼り付けることによって、パッチをホースの外周面から露出させないで損傷穴の修復を行うことができ、したがって、修復に用いたパッチが障害物に引っかかって消防用ホースから剥がれ落ちてしまうことがなくなり、安心して修復後のホースを使用することができ、ホースの長寿命化を図ることができる。
【図面の簡単な説明】
【図１】本発明に係る損傷穴修復工具を示す斜視図。
【図２】同正面図。
【図３】本発明に係る損傷穴修復方法を示す説明図。
【図４】クリップで消防用ホースの外部から内部のパッチを挟持した状態を示す断面図。
【図５】第２実施例に係る損傷穴修復工具を示す斜視図。
【図６】同正面図。
【図７】同側面断面図。
【図８】第３実施例に係る損傷穴修復工具を示す斜視図。
【図９】同正面図。
【図１０】第４実施例に係る損傷穴修復工具を示す斜視図。
【図１１】同正面図。
【図１２】同側面断面図。
【符号の説明】
１　損傷穴修復工具
２　消防用ホース
３　胴体
４　損傷穴
５　パッチ
６，６　パッチ保持片
７，８　溝
９　パッチ保持部
１０　ホース内清掃体
１１　クリップ
１２　熱圧着工具
１３　スポンジ
【図１】
2004092807.tif 000003
【図２】
2004092807.tif 000004
【図３】
2004092807.tif 000005
【図４】
2004092807.tif 000006
【図５】
2004092807.tif 000007
【図６】
2004092807.tif 000008
【図７】
2004092807.tif 000009
【図８】
2004092807.tif 000010
【図９】
2004092807.tif 000011
【図１０】
2004092807.tif 000012
【図１１】
2004092807.tif 000013
【図１２】
2004092807.tif 000014